(57)【特許請求の範囲】
【請求項１】
フレームの一対の支持部に一対の回転軸を平行に支持させるとともに、それらの回転軸間に無端状のスクリーンを、このスクリーンの前側周回部と後側周回部とが露出するような状態で掛装し、回転軸の回転により、前記スクリーンが回転軸間を周回されるようにしたスクリーン装置において、
前記スクリーンの裏面に散水するための散水手段を、前記一対の支持部に架設し、
前記スクリーンの裏面を支持する支持部材を、前記一対の支持部に架設し、
その支持部材を透明材または半透明材によって構成したことを特徴とするスクリーン装置。
【請求項２】
前記支持部材は、他の前記支持部材と離間して前記一対の支持部に架設されていることを特徴とする請求項１に記載のスクリーン装置。
【請求項３】
前記支持部材には水抜き孔を上下方向に貫設し、
前記支持部材よりも上部に前記散水手段を配置したことを特徴とする請求項１又は２に記載のスクリーン装置。
【請求項４】
前記支持部材をポリカーボネートによって構成したことを特徴とする請求項１〜３のうちのいずれか一項に記載のスクリーン装置。
【請求項５】
前記支持部材の前記スクリーンとの対向面には、前記スクリーンの接触により圧力を検出するための検出手段を設け、
その検出手段が所定値以上の圧力を検出したときに、スクリーンを周回させるためのモータが停止されるようにしたことを特徴とする請求項１〜４のうちのいずれか一項に記載のスクリーン装置。
【請求項６】
前記検出手段が所定値以上の圧力を検出したときに、前記散水手段に対する給水が停止されるようにしたことを特徴とする請求項５に記載のスクリーン装置。
【発明の詳細な説明】
【技術分野】
【０００１】
この発明は、広告等のために屋外や屋内に設置されるスクリーン装置に関するものである。
【背景技術】
【０００２】
従来、この種のスクリーン装置としては、例えば、以下の従来構成が知られている。
第１の従来構成においては、フレームに一対の回転軸が間隔をおいて平行に支持されている。両回転軸間には、宣伝広告等の表示を施した無端状のスクリーンが掛装されている。そして、モータの駆動によってスクリーンが回転軸間を周回されるようになっている。
【０００３】
また、従来のスクリーン装置としては、例えば特許文献１に開示されるような構成も提案されている。この第２の従来構成においては、箱形のケース内の前面側に一対の前側回転軸が上下に間隔をおいて配設されるとともに、ケース内の後部には、スクリーンの後部周回部に接触して、そのスクリーンを緊張状態に保持するための複数のローラが設けられている。各回転軸及びローラ間には、宣伝広告等の表示を施した無端状のスクリーンが掛装されている。そして、回転軸がモータによって回転されることにより、スクリーンが周回されるようになっている。
【先行技術文献】
【特許文献】
【０００４】
【特許文献１】特開平４−３６８９８６号公報
【発明の概要】
【発明が解決しようとする課題】
【０００５】
ところが、前述した従来のスクリーン装置においては、次のような問題があった。
第１の従来構成では、間隔をおいて平行に延びる一対の回転軸間に無端状のスクリーンが全体として扁平状をなすように掛装されている。このため、スクリーン装置に風が当たると、スクリーンにバタつきが生じたり、スクリーンが雨水によって濡れたときにはバタつきによってスクリーンどうしの貼り付きが生じたりして、モータに大きな負荷がかかるという問題があった。この問題は、スクリーン装置が屋内に設置された場合において、空調装置からの送風を受けた際にも発生するが、特に、スクリーン装置が屋外に設置された場合において、強風を受けたときに顕著に発生する。
【０００６】
また、第２の従来構成では、スクリーンの後部側を案内するガイドローラが上下の回転軸間から後方に変位して設けられているため、スクリーンの後部側が前部側から離隔される。その結果、スクリーンどうしの貼り付きは防止できるが、スクリーン装置の前後方向の寸法が大きくなって、装置全体が大型になるという問題があった。
【０００７】
この発明は、このような従来の技術に存在する問題点に着目してなされたものである。その目的は、スクリーンをバタつきや貼り付きが生じることなく円滑に周回させることができるとともに、装置全体を小型にすることができ、しかも外観に優れたスクリーン装置を提供することにある。
【課題を解決するための手段】
【０００８】
上記の目的を達成するために、この発明は、フレームの一対の支持部に一対の回転軸を平行に支持させるとともに、それらの回転軸間に無端状のスクリーンを、このスクリーンの前側周回部と後側周回部とが露出するような状態で掛装し、回転軸の回転により、前記スクリーンが回転軸間を周回されるようにしたスクリーン装置において、前記スクリーンの裏面に散水するための散水手段を、前記一対の支持部に架設し、前記スクリーンの裏面を支持する支持部材を、前記一対の支持部に架設し、その支持部材を透明材または半透明材によって構成したことを特徴としている。
【０００９】
従って、この発明のスクリーン装置においては、モータにより回転軸が回転されると、スクリーンが回転軸間の位置において裏面側を支持部材により支持された状態で周回される。このため、スクリーン装置が屋内に設置された場合において、空調装置からの送風を受けた際、あるいは、スクリーン装置が屋外に設置された場合において、強風を受けた際等にも、スクリーンにバタつきや貼り付きが生じるおそれはない。よって、モータに負担がかかるおそれを防止することができる。そして、スクリーンの前部側と後部側との間の支持部材によって、スクリーンの裏面が支持されるため、後部側に変位する位置におけるガイドローラは不要である。このため、スクリーン装置の前後方向の寸法が小さくなって、装置全体を小型にすることができる。
【００１０】
また、支持部材が透明材または半透明材によって構成されているため、スクリーンの表面側に支持部材やその影が浮き出ることを抑制することができて、スクリーンに施された宣伝広告等の表示機能を良好に維持することができる。
【００１１】
前記の構成において、前記支持部材は、他の前記支持部材と離間して前記一対の支持部に架設されているとよい。
前記の構成において、前記支持部材には水抜き孔を上下方向に貫設し、前記支持部材よりも上部に前記散水手段を配置するとよい。
【００１２】
前記支持部材をポリカーボネートによって構成するとよい。
前記支持部材の前記スクリーンとの対向面には、前記スクリーンの接触により圧力を検出するための検出手段を設け、その検出手段が所定値以上の圧力を検出したときに、スクリーンを周回させるためのモータが停止されるようにするとよい。
【００１３】
前記検出手段が所定値以上の圧力を検出したときに、前記散水手段に対する給水が停止されるようにするとよい。
【発明の効果】
【００１４】
以上のように、この発明によれば、スクリーンを周回させるためのモータに過負荷がかかることを防止できるとともに、装置全体を小型にすることができ、しかも良好な表示機能を維持できるという効果を発揮する。
【図面の簡単な説明】
【００１５】
【図１】第１実施形態のスクリーン装置を示す斜視図。
【図２】図１のスクリーン装置の拡大縦断面図。
【図３】図２の３−３線における断面図。
【図４】図２の４−４線における拡大断面図。
【図５】支持部材及びその取付構造を拡大して示す要部分解斜視図。
【図６】第２実施形態のスクリーン装置を示す斜視図。
【図７】図６のスクリーン装置の拡大縦断面図。
【発明を実施するための形態】
【００１６】
（第１実施形態）
以下に、この発明を具体化したスクリーン装置の第１実施形態を図１〜図５に従って説明する。
【００１７】
図１及び図２に示すように、この実施形態のスクリーン装置１０は、フレーム１１を備えている。このフレーム１１は、上下に平行に延びる左右一対の支柱部１２，１３と、両支柱部１２，１３の上端部間に架設された上枠部１４と、両支柱部１２，１３の下端部間に架設された下枠部１５とにより、全体として四角枠状をなすように構成されている。
【００１８】
図３〜図５に示すように、前記フレーム１１における支柱部１２，１３及び上枠部１４の内面の前後両側縁には、後述するスクリーン２６の幅方向の両側縁を覆うための一対の断面ほぼＬ字形の遮蔽板１７が溶接固定され、支柱部１２，１３及び上枠部１４の全長にわたって延びている。図２及び図３に示すように、フレーム１１の下枠部１５は、四角筒状の金属材により構成されている。
【００１９】
図１〜図３に示すように、前記フレーム１１の両支柱部１２，１３の下端部には脚板１８が溶接固定され、各脚板１８には複数の取付孔１８ａが形成されている。屋外等におけるスクリーン装置１０の設置箇所の地面には、基礎コンクリート１９が打設されている。基礎コンクリート１９の上面には、モルタルよりなる左右一対の支持座２０が突出形成されている。基礎コンクリート１９及び各支持座２０には複数のアンカーボルト２１が、それらの先端ネジ部を支持座２０の上面から突出させた状態で埋設されている。
【００２０】
そして、各支持座２０上に支柱部１２，１３の下端の脚板１８が載置されるとともに、脚板１８上の各取付孔１８ａにアンカーボルト２１が挿通された状態で、各アンカーボルト２１の先端ネジ部にナット２２が螺合されている。この螺合により、スクリーン装置１０のフレーム１１が基礎コンクリート１９上に設置固定されている。この状態で、基礎コンクリート１９の周囲がフレーム１１の下枠部１５の上面付近まで埋め戻されるとともに、その埋め戻し部の上面に栗石２３が敷設されている。
【００２１】
図１〜図３に示すように、前記フレーム１１の両支柱部１２，１３の上端部間には、円筒状の上部回転軸２４が水平な軸線上で回転可能に支持されている。両支柱部１２，１３の下端部間には、円筒状の下部回転軸２５が上部回転軸２４と平行な水平軸線上で回転可能に支持されている。上部回転軸２４及び下部回転軸２５の両端部には、一対のフランジ部２４ａ，２５ａが設けられている。両回転軸２４，２５間には、塩化ビニール等の合成樹脂よりなる無端帯状のスクリーン２６が掛装されている。スクリーン２６は経糸と緯糸とよりなる合成樹脂製の布材や網材により構成され、その表面には宣伝広告等の表示が施されている。スクリーン２６の経糸と緯糸との間には、０．３〜３ｍｍ程度の細隙（糸間の目）が形成されている。
【００２２】
図１及び図２に示すように、前記右側の支柱部１３の上端内側面には、モータ２７がそのほぼ全体を上部回転軸２４の内部に収容した状態で支持されている。そして、このモータ２７によって上部回転軸２４が回転されることにより、スクリーン２６が両回転軸２４，２５間で周回される。この場合、スクリーン２６の幅方向の両側縁が両回転軸２４，２５の両端のフランジ部２４ａ，２５ａに当接することにより、スクリーン２６の左右位置が規制される。また、図４に示すように、スクリーン２６の前側周回部２６ａ及び後側周回部２６ｂの両側縁が両支柱部１２，１３上の遮蔽板１７の内側に配置されることにより、各周回部２６ａ，２６ｂの両側縁が外部から見えないように覆われるとともに、その両側縁の外側へのバタつきが規制される。
【００２３】
図１〜図３に示すように、前記スクリーン２６の周回域内において、両支柱部１２，１３間の上部には散水手段としての散水装置２８が支持されている。この散水装置２８は、両支柱部１２，１３間に架設された金属材よりなる四角筒状の導水管２９と、その導水管２９の下側に長さ方向へ所定間隔おきに突設された複数のミスト噴射ノズル３０とを備えている。導水管２９の一端には、導水管２９内に水を供給するための図示しない給水ホースが接続されている。
【００２４】
そして、この給水ホースに接続された図示しない電磁バルブが開放されることにより、散水装置２８の導水管２９内に水が供給されて、その水が各ミスト噴射ノズル３０からスクリーン２６の前側周回部２６ａ及び後側周回部２６ｂの裏面に向けてミスト状に散布される。また、この水が気化されることにより、空気から気化熱が奪われて、周囲の空気が冷却される。それとともに、スクリーン２６の表面が冷熱輻射面になって、周囲に対して輻射冷熱効果が与えられる。
【００２５】
図２〜図５に示すように、前記スクリーン２６の周回域内において、散水装置２８の下方に位置するように、両支柱部１２，１３間には上下一対の支持部材３１が架設されている。すなわち、図５に示すように、両支柱部１２，１３の内側面にはほぼＬ字状のブラケット３２が複数のネジ３３により取り付けられ、そのブラケット３２に対して支持部材３１の両端部が複数のネジ３４により固定されている。各支持部材３１は、透明または半透明の硬質合成樹脂材により形成されている。この実施形態において、各支持部材３１は耐候性に優れたポリカーボネートによって構成されている。各支持部材３１には、その長さ方向に沿って複数の水抜き孔３１ａが上下方向に貫設されている。そして、両支持部材３１によりスクリーン２６の前側周回部２６ａ及び後側周回部２６ｂが裏面側から支持されて、その前側周回部２６ａ及び後側周回部２６ｂのバタつきや貼り付きを防止できるようになっている。
【００２６】
図２〜図４に示すように、前記上側の支持部材３１における前後両側面のほぼ中央部には、スクリーン２６の前側周回部２６ａ及び後側周回部２６ｂのバタつきを検出するための検出手段としてのタッチセンサ３５が設けられている。そして、スクリーン２６の周回動作中に、タッチセンサ３５が、スクリーン２６から規定値以上の圧力を受けて、それが検出されたとき、モータ２７が停止されて、スクリーン２６の周回動作が中断されるとともに、前記電磁バルブが閉じられて前記ミスト噴射ノズル３０に対する給水が停止され、ミスト散布が停止されるようになっている。
【００２７】
図２に示すように、前記フレーム１１の支柱部１２，１３の両側において、栗石２３の下部には一対の排水管３６が埋設され、各排水管３６の上部には複数の集水孔３６ａが形成されている。そして、栗石２３上に落下した水が、集水孔３６ａから排水管３６内に回収されて、排水処理されるようになっている。
【００２８】
次に、前記のように構成されたスクリーン装置の機能を説明する。
さて、このスクリーン装置１０が屋外や屋内の所要箇所に設置された状態で、フレーム１１の側部,あるいは図示しない制御ボックス等に設けられた図示しない運転開始ボタンがオンされると、モータ２７により上部回転軸２４が回転されて、両回転軸２４，２５間に掛装されたスクリーン２６が回転軸２４，２５間において周回移動される。それとともに、図示しない電磁バルブが開放されると、散水装置２８のミスト噴射ノズル３０からスクリーン２６の前側周回部２６ａ及び後側周回部２６ｂの裏面に水がミスト状に散布されて、スクリーン２６の全面が湿潤される。そして、スクリーン２６の周回にともない、スクリーン２６に接触する空気によって水が気化されて、その空気から気化熱が奪われることにより、空気が冷却されるとともに、スクリーン２６から周囲に輻射冷熱が与えられる。
【００２９】
このとき、スクリーン２６の前側周回部２６ａ及び後側周回部２６ｂは、上下一対の支持部材３１により裏面側から支持された状態で周回移動される。よって、屋内に設置されたスクリーン装置１０に対して空調装置から送風が吹き付けた場合、あるいは、屋外に設置されたスクリーン装置１０に対して強風が吹き付けた場合でも、スクリーン２６がバタつくことなく保持されるとともに、スクリーン２６の前後の部分が水を介在して貼り付くことを防止できる。スクリーン２６に保持されない余分な水は、支持部材３１の水抜き孔３１ａを通して落下される。
【００３０】
また、このスクリーン２６の周回動作中に、スクリーン２６の前側周回部２６ａまたは後側周回部２６ｂが規定値を超えて大きくバタついた場合には、タッチセンサ３５の検出に基づいてモータ２７が停止され、スクリーン２６の周回動作が中断されるとともに、ミスト噴射ノズル３０からの散水が中断される。タッチセンサ３５による検出状態が終了されると、スクリーン２６の周回及びミスト噴射ノズル３０からの散水が再開される。
【００３１】
従って、この実施形態によれば、以下のような効果を得ることができる。
（１）  このスクリーン装置においては、モータ２７によって回転軸２４，２５が回転されることにより、スクリーン２６が裏面側を支持部材３１によって支持された状態で、一対の回転軸２４，２５間によって周回されるようになっている。このため、スクリーン装置１０が屋内に設置された場合において、空調装置からの送風を受けた際、あるいは、スクリーン装置１０が屋外に設置された場合において、強風を受けた際でも、スクリーン２６にバタつきや貼り付きが生じるおそれはない。よって、スクリーン２６のバタつきや貼り付きにより、モータ２７に過負荷がかかるおそれを防止することができる。
【００３２】
（２）  このスクリーン装置においては、支持部材３１が透明材または半透明材によって構成されているため、スクリーン２６の表面側から支持部材３１を透視しにくくすることができて、スクリーン２６に施された宣伝広告等の機能を維持することができる。これに対し、支持部材３１が金属等の非透明材によって構成されている場合は、支持部材によって光が遮られる。このため、スクリーン２６の表面側に金属製の支持部材や支持部材に対応した影が浮き出て、スクリーン２６の外観が損なわれ、表示機能が低下される。
【００３３】
（３）  このスクリーン装置においては、支持部材３１によってスクリーン２６のバタつきや貼り付きを防止できるため、前記特許文献１とは異なり、上下一対の回転軸２４，２５だけでよく、回転軸２４，２５間のガイドローラは不要である。このため、このスクリーン装置においては、簡単な構成となるばかりでなく、スクリーン装置１０の前後方向の寸法が小さくなって、装置全体を小型にすることができる。
【００３４】
（４）  このスクリーン装置においては、前記支持部材３１上に、タッチセンサ３５が設けられている。そして、このタッチセンサ３５により、スクリーン２６から規定値以上の圧力を受けたとき、モータ２７が停止されて、スクリーン２６の周回動作が中断されるようになっている。このため、スクリーン２６に大きなバタつきや貼り付きが発生した場合、モータ２７に過大な負荷がかかるおそれを防止することができる。
【００３５】
（５）  このスクリーン装置においては、フレーム１１の上部に、スクリーン２６の裏面に対して散水するための散水装置２８が設けられている。このため、スクリーン２６の周回中に、散水装置２８からスクリーン２６に対して散水が行われて、スクリーン２６の全面が湿潤される。そして、スクリーン２６の周回に伴い、スクリーン２６に接触する空気により水が気化されて、空気から気化熱が奪われる。よって、屋外や屋内の空間に対する冷却機能を発揮することができる。しかも、スクリーン２６がバタついて、スクリーン２６の周回が停止されたときには散水が停止されるため、水の無駄な使用を防止できる。
【００３６】
（６）  このスクリーン装置においては、前記支持部材３１がフレーム１１の左右の支柱部１２，１３間に架設され、その支持部材３１には水抜き孔３１ａが上下方向に貫設されている。このため、散水装置２８からの散水を支持部材３１上に滞留させることなく、水抜き孔３１ａを通して下方へ円滑に流すことができる。
【００３７】
（第２実施形態）
次に、この発明を具体化したスクリーン装置の第２実施形態を、前記第１実施形態と異なる部分を中心に説明する。
【００３８】
この第２実施形態においては、図６及び図７に示すように、スクリーン装置１０を屋内または屋外の任意の箇所に設置するための全体としてトラス構造をなす補助枠４０が備えられている。すなわち、補助枠４０には、四角筒状の金属パイプ材よりなるほぼ四角枠型の支持台４１が備えられ、その支持台４１の上面前端の両側部に一対の支持板部４２が溶接固定されている。そして、両支持板部４２上にスクリーン装置１０のフレーム１１における両支柱部１２，１３の下端の脚板１８が載置された状態で、両脚板１８が支持板部４２に対して複数のボルト４３及びナット４４により固定される。この固定により、スクリーン装置１０のフレーム１１が支持台４１の上面前端部に起立状態で取り付けられている。
【００３９】
図６及び図７に示すように、前記支持台４１の後端には、傾斜状態の支持脚４６の下端が支持されている。両支持脚４６の中間部と支持台４１の両側前部との間には、金属パイプ材よりなる一対の補強脚４７が架設されている。支持脚４６の上端には、金属材よりなる四角キャップ状の保持部材４５が固定されている。この保持部材４５は支柱部１２,１３の上端に着脱可能に取り付けられる。そして、保持部材４５が支柱部１２,１３の上端に取り付けられることにより、両支持脚４６及び両補強脚４７により、フレーム１１が支持台４１上において起立状態に支持されるようになっている。
【００４０】
なお、この第２実施形態におけるフレーム１１及びその内部構造は、前記第１実施形態とほぼ同様に構成されているが、フレーム１１内の下部に水受け構造が設けられている。すなわち、図７に示すように、下部回転軸２５の上方において、フレーム１１の両支柱部１２，１３間には、水受け樋４８が架設されている。そして、散水装置２８のミスト噴射ノズル３０から散布されて落下する水が、この水受け樋４８内に回収されて、図示しない排水管を介して排水処理されるようになっている。
【００４１】
この第２実施形態においては、スクリーン装置１０と補助枠４０とを分離した状態で所要の箇所に運び、補助枠４０をその箇所の地面や床面等に設置して、補助枠４０上にスクリーン装置１０を載置する。次いで、互いに重ねられたスクリーン装置１０の脚板１８と支持板部４２とをボルト４３及びナット４４によって固定するとともに、キャップ状の保持部材４５をスクリーン装置１０の支柱部１２,１３の上端に被せればよい。このようにすれば、基礎コンクリート１９が無い状態の箇所にもスクリーン装置１０を安定設置できる。
【００４２】
従って、この第２実施形態によれば、前記第１実施形態における（１）〜（６）に記載の効果に加えて、以下のような効果を得ることができる。
（７）  このスクリーン装置においては、補助枠４０を使用することにより、スクリーン装置１０を基礎コンクリート１９が無い屋内または屋外の所要箇所に安定して設置することができる。よって、スクリーン装置１０の設置期間が短い場合には、装置の設置作業や撤去作業を簡単に行うことができる。
【００４３】
（８）  このスクリーン装置においては、フレーム１１内の下部に水受け樋４８が架設されているため、ミスト噴射ノズル３０から落下する水が、この水受け樋４８内に回収される。従って、水受け樋４８に別の水路や管を連結することにより、水受け樋４８内に回収された水を前記別の水路や管を介して所要箇所に排水できるため、地面や床面等の水濡れが厭われる場所にスクリーン装置を設置する場合や、栗石２３等を設けることなく、短期間設置する場合等に都合がよい。
【００４４】
（変更例）
なお、この実施形態は、次のように変更して具体化することも可能である。
・  スクリーン２６の裏面側を支持する支持部材３１として、半透明材を用いること。
【００４５】
・  スクリーン２６の裏面側を支持する支持部材３１として、ポリカーボネート以外のもの、例えば、ポリプロピレン,ポリエチレン,ポリエチレンテレフタレート,アクリルを用いること。
【００４６】
・  散水装置２８を上下複数個所に設けること。
・  一対の回転軸２４，２５を垂直軸線を中心に回転可能に配設し、それらの回転軸２４，２５間にスクリーン２６を横方向へ周回するように張設すること。
【００４７】
・  スクリーン２６の内側または外側にＬＥＤ等よりなる照明装置を設け、装置を屋内に設置した場合や、装置を屋外に設置した場合の夜間等に、スクリーン２６を照明するように構成すること。
【００４８】
・  スクリーン２６の外部下方において、支柱部１２，１３の下端部間に排水管に接続された水受け樋を設けること。この水受け樋は、前記第２実施形態の水受け樋４８と併用してもよく、単独で用いてもよい。また、水受け樋４８が支柱部１２，１３間の下枠部１５の機能を兼用するようにしてもよい。
【００４９】
・  スクリーン２６を白色で無地の布地から構成し、そのスクリーン２６にプロジェクタ等で宣伝広告等の表示を投影するように構成すること。
・  フレーム１１に温度センサ、湿度センサ、風速センサ等のセンサを付設し、そのセンサの検出に基づいて装置の運転停止を制御するように構成すること。
【００５０】
・  散水装置２８を省略すること。
（他の技術的思想）
前記実施形態から把握されるが請求項に記載されていない技術的思想は以下の通りである。
【００５１】
（イ）  請求項１〜５のうちのいずれか一項に記載のスクリーン装置を支持するために、スクリーン装置の下部に固定される固定部を有することを特徴とした補助枠。
（ロ）  前記補助枠は、スクリーン装置の下端部に固定される部分と上端に取付けられる部分とを有することを特徴とした前記技術的思想（イ）項に記載の補助枠。
【００５２】
（ハ）請求項１〜５のうちのいずれか一項に記載のスクリーン装置と、前記技術的思想（イ）または（ロ）項に記載の補助枠とを備えたことを特徴とするスクリーン装置。
【符号の説明】
【００５３】
１０…スクリーン装置、１１…フレーム、１２，１３…支柱部、１８…脚板、１９…基礎コンクリート、２１…アンカーボルト、２４…上部回転軸、２５…下部回転軸、２６…スクリーン、２６ａ…前側周回部、２６ｂ…後側周回部、２７…モータ、２８…散水手段としての散水装置、３１…支持部材、３１ａ…水抜き孔、３５…タッチセンサ、４１…支持台、４３…ボルト、４６…支持脚。
【図１】
0005694723.tif 000002
【図２】
0005694723.tif 000003
【図３】
0005694723.tif 000004
【図４】
0005694723.tif 000005
【図５】
0005694723.tif 000006
【図６】
0005694723.tif 000007
【図７】
0005694723.tif 000008